(57)【要約】【課題】  蒸気トラップから排出される復水が高圧且つ多量である場合であっても、確実にモヤモヤとした再蒸発蒸気の発生を防止することのできる蒸気トラップの消湯気器を提供する。【解決手段】  蒸気トラップ１の入口５に復水発生箇所と連通した連通管２を接続する。蒸気トラップ１の出口８に管路９を介してエゼクタ３を接続する。エゼクタ３の出口側にはコイル管１１を接続して、下端を復水溜タンク４内の下方に開口する。復水溜タンク４の底部と、エゼクタ３の吸込室５を接続する接続管６を取り付ける。  蒸気トラップ１から排出される復水と再蒸発蒸気の混合流体は、エゼクタ３を通過する間に流速を増して接続管６から低温復水を吸引して混合され冷却されることによって、モヤモヤとした再蒸発蒸気を発生することがない。【選択図】      図１
2005121065.tif 000002
【特許請求の範囲】
【請求項１】
蒸気トラップの出口側に取り付けて、蒸気トラップから排出されるモヤモヤとした復水の再蒸発蒸気を低減するものにおいて、蒸気トラップの出口側にエゼクタのノズル部を接続し、当該エゼクタのディフューザ部を復水溜タンク内へ連通して、当該復水溜タンクの底部とエゼクタの吸込室を接続管で接続したことを特徴とする蒸気トラップの消湯気器。
【発明の詳細な説明】
【技術分野】
【０００１】
本発明は、蒸気トラップから排出される高温復水が大気中で再蒸発することにより発生するモヤモヤとした再蒸発蒸気を低減する蒸気トラップの消湯気器に関する。
【背景技術】
【０００２】
蒸気トラップは蒸気配管中で発生した凝縮水としての復水だけを外部へ自動的に排出するが、蒸気は外部へ排出することのない自動弁の一種である。蒸気トラップが復水を排出する場合は、排出される復水が通常は高温状態であるために、大気中へ復水が排出されると再蒸発して、その再蒸発した再蒸発蒸気がモヤモヤと立ち昇り、本来排出することのない蒸気を排出しているものと見間違うケースが多々あった。このようなケースを無くすために、蒸気トラップの消湯気器が用いられてきた。
【０００３】
この消湯気器においては、蒸気トラップから排出される復水の量が比較的少ない場合、あるいは、排出される復水の圧力が比較的低い場合は、再蒸発蒸気を有効に冷却してモヤモヤと立ち昇ることを確実に防止することができるが、排出される復水が高圧で且つその量が多い場合は、モヤモヤと立ち昇る再蒸発蒸気を確実に防止することができない問題点があった。
【特許文献１】特公平５−１４８３６号公報
【発明の開示】
【発明が解決しようとする課題】
【０００４】
解決しようとする問題点は、蒸気トラップから排出される復水が高圧且つ多量である場合であっても、確実に再蒸発蒸気の発生を防止することのできる蒸気トラップの消湯気器を提供することである。
【課題を解決するための手段】
【０００５】
本発明は、蒸気トラップの出口側に取り付けて、蒸気トラップから排出されるモヤモヤとした復水の再蒸発蒸気を低減するものにおいて、蒸気トラップの出口側にエゼクタのノズル部を接続し、当該エゼクタのディフューザ部を復水溜タンク内へ連通して、当該復水溜タンクの底部とエゼクタの吸込室を接続管で接続したことを特徴とする。
【発明の効果】
【０００６】
本発明の蒸気トラップの消湯気器は、蒸気トラップの出口側にエゼクタのノズル部を接続して、このエゼクタのディフューザ部を復水溜タンク内へ連通し、この復水溜タンクの底部とエゼクタの吸込室を接続管で接続したことによって、蒸気トラップから排出される復水はエゼクタのノズル部とディフューザ部を通って復水溜タンク内へ至り、この復水溜タンク内に一旦溜まった復水の一部が、タンク底部から接続管を通ってエゼクタの吸込室へ吸引される。復水溜タンク内に一旦溜まる間に冷却されて温度の低くなった復水の一部がエゼクタの吸込室へ吸引されて高温の復水と混合されることによって、高温復水の温度も低下してモヤモヤと立ち昇る再蒸発蒸気の発生を防止することができる。また、蒸気トラップから排出される復水の圧力が高く且つその量が多い程、接続管から吸込室へ吸引される低温復水の量も多くなるために、蒸気トラップから排出される復水が高圧且つ多量の場合であっても確実に再蒸発蒸気を防止することができる利点がある。
【発明を実施するための最良の形態】
【０００７】
本発明は、蒸気トラップの出口側にエゼクタを取り付けるとともに、このエゼクタの吸込室と復水溜タンク底部を接続管で接続したものであり、蒸気トラップから排出される復水の圧力と量に応じて低温復水を吸引するために、高圧且つ多量の復水が排出される場合であっても確実にモヤモヤとした再蒸発蒸気の発生を防止することができる。
【実施例１】
【０００８】
図１は本発明の１実施例の構成図であって、蒸気配管等の復水発生箇所と蒸気トラップ１を連通する連通管２と、蒸気トラップ１の出口側に接続したエゼクタ３と、エゼクタ３を上部に収容した復水溜タンク４、及び、復水溜タンク４の底部とエゼクタ３の吸込室５とを接続する接続管６とで蒸気トラップの消湯気器を構成する。
【０００９】
蒸気トラップ１の入口７に連通管２の下流側を接続する。連通管２の上流側は図示しない蒸気管などの復水発生箇所と接続する。復水発生箇所で発生した高温復水が連通管２を通って蒸気トラップ１内へ流下するものである。蒸気トラップ１は、本実施例においてはその内部に球形フロートを自由状態で配置したフリーフロート型蒸気トラップを用いた例を示す。
【００１０】
蒸気トラップ１の出口８に管路９を介在してエゼクタ３の吸込室５を連通する。本実施例においては、エゼクタ３を復水溜タンク４内に配置した例を示す。吸込室５の内部に図示しないノズル部を取り付けて管路９の下端部と接続する。吸込室５の下部にディフューザ１０を配置する。ディフューザ１０の下端部にはコイル管１１を接続して復水溜タンク４内の復水内を通して、コイル管１１の下端部をタンク４の底部に開口する。
【００１１】
復水溜タンク４は円筒状で外部側面に複数の放熱フィン１２，１３を取り付ける。復水溜タンク４の低部に接続管６の一端を接続して、他端をエゼクタ３の吸込室５と接続する。復水溜タンク４の左側中央付近にバルブ１４を介在して復水排出管１５を取り付ける。タンク４内に溜まった復水の水位が、復水排出管１５の高さへ達するとバルブ１４を介して外部へ排出される。
【００１２】
復水溜タンク４の上面には大気と連通する大気連通管１６を取り付ける。また、同じくタンク４の上面に冷却水補給管１７を取り付ける。冷却水補給管１７を分岐した分岐管１８を接続管６と接続する。冷却水補給管１７と分岐管１８にはそれぞれ自動弁１９，２０を取り付ける。
【００１３】
連通管２から蒸気トラップ１内へ復水が流入すると、流入した復水の水位に応じて蒸気トラップ１内の図示しない球形フロートが浮上降下して、蒸気トラップ１の出口８から管路９を介して復水と一部が再蒸発蒸気となった混合流体としてエゼクタ３とコイル管１１を通って復水溜タンク４内へ流下する。タンク４内に一旦溜まった高温復水は、タンク４の外周に取り付けた放熱フィン１２，１３から放熱されて温度低下するとともに、復水が溜まって水位が上昇して復水排出管１５の位置へ至ると外部へ排出される。
【００１４】
一方、エゼクタ３内へ流下した混合流体はノズル部で通路断面が絞られることにより流速を増して吸込室５で吸引力を発生して、接続管６を介して復水溜タンク４底部の低温復水を吸引混合することによって、混合流体の温度を低下させ、モヤモヤとした再蒸発蒸気の発生を防止する。また、コイル管１１を通過する間にも、タンク４内に溜まっている低温復水で冷却されるために更に再蒸発蒸気の発生を防止することができる。
【００１５】
放熱フィン１２，１３からの放熱だけでは確実にタンク４内の復水の温度を下げることができない場合は、冷却水補給管１７からタンク４内へ、あるいは、接続管６内へ、低温の冷却水を所定量だけ補給することにより、更に確実にモヤモヤとした再蒸発蒸気の発生を防止することができる。
【００１６】
エゼクタ３においては、ベルヌーイの定理に従って流下する流体の速度が速くなるに連れて吸引力も強くなるために、蒸気トラップ１から排出される復水の圧力が高く又復水量が多い程、接続管６から吸引される復水量も多くなることによって、より確実にモヤモヤとした再蒸発蒸気を防止することができる。
【００１７】
本実施例においては、エゼクタ３を復水溜タンク４内に配置した例を示したが、エゼクタ３をタンク４の外部に配置してディフューザ１０とタンク４を接続して用いることもできる。
【産業上の利用可能性】
【００１８】
蒸気トラップの出口に接続したエゼクタで低温復水を吸引して高温復水を冷却するものであり、さまざまな型式の蒸気トラップの出口側に取り付けることにより、確実にモヤモヤとした再蒸発蒸気の発生を防止することができる。
【図面の簡単な説明】
【００１９】
【図１】本発明の蒸気トラップの消湯気器の実施例を示す構成図。
【符号の説明】
【００２０】
１  蒸気トラップ
２  連通管
３  エゼクタ
４  復水溜タンク
５  吸込室
６  接続管
７  入口
８  出口
１０  ディフューザ
１１  コイル管
１２，１３  放熱フィン
１５  復水排出管
１７  冷却水補給管
１８  分岐管
【図１】
2005121065.tif 000003